(57)【特許請求の範囲】
【請求項１】
基板と、
前記基板を貫通して、これに回動可能に支持され、そして、前記基板の一方の面側に、前記基板と一体的に回転する第１軸を備え、前記基板の他方の面側に、前記第１軸の中心軸線から偏倚した中心軸線を有するボアを備えた回動体と、
前記ボア内に回動可能に収容された偏心体と、
前記偏心体に回転可能に設けられ、その中心軸線から偏倚した中心軸線を有する第２軸と、
前記基板に対する前記回動体の回動位置に応じて、前記回動体に対する前記偏心体の回動位置を規制する規制手段と、
前記基板に対する前記回動体の回動位置を選択的に調節する調節機構とを備えた電動工具の位置決め装置おいて、
前記調節機構が、前記基板に設けられた複数個のロック溝と、前記ロック溝に選択的に係合可能なように、前記調節機構のホルダ内に収容されたロックボールと、前記ロックボールの位置を拘束可能なロックボタンとから構成され、
前記ロックボタンは、前記ロックボールと当接可能な傾斜面を有している
ことを特徴とする電動工具の位置決め装置。
【発明の詳細な説明】
【０００１】
【発明の属する技術分野】
本発明は、電動工具、例えば、サンダ、ポリッシャ等に適用され、第１軸に対する第２軸の偏心量を調節可能な位置決め装置に関する。
【０００２】
【従来の技術】
電動工具に適用される位置決め装置は、第１軸及び第２軸を備えており、第１軸に対する第２軸の偏心量を調節することができる。通常、第１軸は動力源としてのモータに連結され、第２軸は従動軸、即ち、サンダ、ポリッシャ等のための作動軸として作用する。
【０００３】
この種の公知の位置決め装置を、図４を参照しながら、以下に説明する。この位置決め装置は、基板３５と、回動体３３と、偏心体３４と、第２軸３２と、規制手段と、調節機構４１とからなる基本構成を有している。
【０００４】
基板３５は、円盤状に形成され、ほぼ中央の位置に貫通孔３５ａを有している。基板３５の一方の面、即ち、図４において上面には、上向きの凹部３５ｅが形成され、この凹部３５ｅは、上記貫通孔３５ａと連通している。基板３５の他方の面、即ち、図４において下面には、下向きの凹部３５ｆが形成され、この凹部３５ｆもまた、上記貫通孔３５ａと連通している。
【０００５】
基板３５の上面且つ一方の側において、貫通孔３５ａと同心円上に複数個のロック溝３５ｂ…３５ｂが形成されている。
【０００６】
基板３５において、貫通孔３５ａを基準として、ロック溝３５ｂと反対側の位置に、長孔３５ｄが形成されている。長孔３５ｄは、後述する規制手段の一部を構成するもので、基板３５の上面及び下面にそれぞれ形成された凹部３５ｅ及び３５ｆとそれぞれ連通している。この長孔３５ｄは、基板３５のほぼ直径方向に湾曲して伸びている。
【０００７】
また、基板３５において、上記長孔３５ｄの更に外側の位置には、複数個のバランスウェイト取付孔３５ｈが形成されている。
【０００８】
回動体３３は、支持部分３３Ｘ及びケース部分３３Ｙとからなる回動体本体と、第１軸としての駆動軸３１とから構成される。
【０００９】
支持部分３３Ｘは、基板３５の貫通孔３５ａ内に回動可能に嵌合されており、その中央部分には、ネジ孔３３ｃが同軸心的に形成されている。尚、図４において、符号３８は、支持部分３３Ｘの抜け止めのために、これに嵌合されるＣ型リングである。
【００１０】
ケース部分３３Ｙは、支持部分３３Ｘの上端に一体的に形成され、基板３５の上向き凹部３５ｅ内に収められている。ケース部分３３Ｙは、円筒状の内周面、即ち、ボア３３ｆを有しており、このボア３３ｆの中心軸線は、支持部分３３Ｘの中心軸線から偏倚している。また、ケース部分３３Ｙの底部には、長孔３３ｂが形成されている。この長孔３３ｂは、規制手段の一部を構成するもので、基板３５の長孔３５ｄに対応する位置に形成されており、これと同様に、ケース部分３３Ｙの底部のほぼ円周方向に湾曲して伸びている。更に、ケース部分３３Ｙの中央部分を基準として、長孔３３ｂと反対側の位置には、調節機構４１のための切欠き部３３ａが形成されている。
【００１１】
第１軸としての駆動軸３１は、上部にネジ部３１ａを有しており、このネジ部３１ａは、上記支持部分３３Ｘのネジ孔３３ｃに螺合されている。従って、駆動軸３１は、支持部分３３Ｘと一体的に回動可能である。
【００１２】
偏心体３４は、外周面に対して内周面が偏心した筒状に形成され、上記回動体３３におけるケース部分３３Ｙのボア３３ｆ内に回動可能に収容されている。この偏心体３４の内側には、ベアリング４５、４６が組み込まれている。
【００１３】
第２軸３２は、ベアリング４５、４６のそれぞれの内輪に取り付けられている。尚、図４において、符号４７は、下方のベアリング４６における外輪を偏心体３４に保持するためのＣ型リングを示し、符号４８は、このベアリング４６における内輪を第２軸３２に保持するためのＣ型リングを示す。また、符号３７は、偏心体３４を回動体３３に保持するためのＣ型リングを示し、符号４９は、偏心体３４と第２軸３２との間をシールするオイルシールである。
【００１４】
偏心体３４の一方の側には、下方に突出するようにしてピン３６が取り付けられている。このピン３６は、回動体３３の長孔３３ｂ及び基板３５の長孔３５ｄに通されている。このピン３６は、これ等長孔３３ｂ及び３５ｄと協働して、基板３５に対する回動体３３の回動位置に応じて、回動体３３に対する偏心体３４の回動位置を規制する規制手段を構成する。
【００１５】
調節機構４１は、基板３５に対する回動体３３の回動位置を選択的に調節するもので、ホルダ４２と、ロックボタン４３と、コイルバネ５１と、ロックボール４４と、基板３５に設けられた上記ロック溝３５ｂ…３５ｂとから構成される。
【００１６】
ホルダ４２は、回動体３３の切欠き部３３ａにボルト締めされている。このホルダ４２は、切欠き部３３ａと向かい合う部分に貫通孔４２ｅを有している。
【００１７】
ロックボタン４３は、ホルダ４２内に摺動可能に収容されるボール拘束部分４３ａと、このボール拘束部分４３ａの先端面に一体的に形成され、ホルダ４２の貫通孔４２ｅから外側に突出する操作部分４３ｂとから構成される。ボール拘束部分４３ａは、その長さ方向全体に亘って実質的に同一の外径を有する筒状に形成され、その外径は、操作部分４３ｂの外径よりも大きい。ボール拘束部分４３ａは、その後端部内側にバネ収容穴４３ｃを有している。
【００１８】
コイルバネ５１は、ホルダ４２内に配置され、一端をボール拘束部分４３ａのバネ収容穴４３ｃ内に配置し、他端を回動体３３側に当接させている。従って、ロックボタン４３はコイルバネ５１による弾性力により、図４において矢印Ｍ方向に移動して、ボール拘束部分４３ａの先端面がホルダ４２に当接し、これにより、ロックボタン４３はロック状態に保持される。コイルバネ５１に抗して、ロックボタン４３を、図４において矢印Ｌ方向に押し込むことにより、ボール拘束部分４３ａは回動体３３側に近接し、これにより、ロックボタン４３はロック解除状態に置かれる。
【００１９】
ロックボール４４は、単一の鋼球からなり、ホルダ４２内においてロックボタン４３の下方に配置されている。ロックボタン４３がロック状態に置かれているとき、ロックボール４４は、基板３５のロック溝３５ｂ…３５ｂのうちの何れか１つに選択的に収められ、この状態において、ロックボール４４はボール拘束部分４３ａの下面に当接する。従って、コイルバネ５１に抗して、ロックボタン４３を押し込み、これをロック解除状態にすれば、ボール拘束部分４３ａと操作部分４３ｂとの半径における差に対応する距離だけ、ロックボール４４の変位が許容され、これにより、ロックボール４４がロック溝３５ｂから離脱可能になる。
【００２０】
尚、図４に示すように、基板３５のバランスウェイト取付孔３５ｈには、バランスウェイトとしてのボルト４０及びナット３９が取り付けられている。
【００２１】
上述した位置決め装置において、第１軸３１と第２軸３２との偏心量を調節するためには、先ず、ロックボタン４３を、図４における矢印Ｌ方向に押し込み、この状態で、基板３５に対して回動体３３を所定の角度だけ回動させる。即ち、ロックボタン４３を押し込むことにより、ロックボール４４はロック溝３５ｂから離脱可能な状態に置かれ、ここで、基板３５に対して回動体３３を回動させると、ロックボール４４は係合状態にあったロック溝３５ｂから離脱し、回動角度に対応した他のロック溝３５ｂに係合する。
【００２２】
このように基板３５に対して回動体３３を回動させると、偏心体３４は、規制手段３６、３３ｂ、３５ｄの規制下において、回動体３３内を回動する。第２軸３２の中心軸線は偏心体３４の中心軸線に対して偏倚しているため、偏心体３４が回動することによって、第１軸３１に対する第２軸３２の偏心量が調節される。通常は、１つのロック溝３５ｂからこれに隣接する他のロック溝３５ｂへの１ピッチ分の回動体３３の回動操作により、第１軸３１に対する第２軸３２の偏心量が２ｍｍずつ変化するように設定されている。
【００２３】
偏心量の調節後、ロックボタン４３の押圧を解除すれば、コイルバネ５１によってロックボタン４３は再びロック状態に保持され、従って、ロックボール４４のロック溝３５ｂへの係合状態が確保され、換言すれば、基板３５に対して回動体３３がロックされる。
【００２４】
【発明が解決しようとする課題】
しかしながら、上述した先行技術においては、ロックボタンのボール拘束部分は長さ方向全体に亘って実質的に同一の外径を有する筒状に形成されているので、このボール拘束部分及びロックボールの製造工程において、寸法誤差が生じた場合には、適切な作動が困難になる。即ち、ボール拘束部分及びロックボールの外径の少なくとも一方が適正値よりも小さい場合には、これ等両者間に隙間が形成され、これによりガタツキが生じ、従って、基板に対する回動体の適切なロック状態を得ることができない。
【００２５】
一方、ボール拘束部分及びロックボールの外径の少なくとも一方が適正値よりも大きい場合には、ロックボタンの摺動動作及びロック溝からのロックボールの離脱動作が困難になり、従って、基板に対する回動体の回動が不可能になる。
【００２６】
ボール拘束部分及びロックボールを製造する際に、非常に厳しい寸法管理を実施すれば、上述した問題を解消することは可能であるが、このような寸法管理は、生産コストの高騰化を招く。
【００２７】
また、ボール拘束部分及びロックボールの両者の外径が適正値を有していたとしても、これ等の部材の摩耗によりボール拘束部分とロックボールとの間に不適切な隙間が生じる。これにより装置のガタツキが生じ、従って、基板に対する回動体の適切なロック状態を得ることができない。その結果、ロックボタン及びロックボールを頻繁に交換する必要があり、不経済な問題を生ずる。
【００２８】
本発明の目的は、ボール拘束部分及びロックボールの製造工程において、寸法誤差が生じても、基板に対する回動体の適切な回動動作並びにロック状態及びロック解除状態への切換動作を確保し、更に、非常に厳しい寸法管理を必要とすることなく、生産コストを低廉に維持し、しかも、ボール拘束部分及びロックボールの両者が摩耗した場合であっても、上述した回動動作及び切換動作が可能である電動工具の位置決め機構を提供することにある。
【００２９】
【課題を解決するための手段】
上述した課題を解決するために、請求項１の本発明は、基板（５）と、前記基板（５）を貫通して、これに回動可能に支持され、そして、前記基板（５）の一方の面側に、前記基板（５）と一体的に回転する第１軸（１）を備え、前記基板（５）の他方の面側に、前記第１軸（１）の中心軸線から偏倚した中心軸線を有するボア（３ｆ）を備えた回動体（３）と、前記ボア（３ｆ）内に回動可能に収容された偏心体（４）と、前記偏心体（４）に回転可能に設けられ、その中心軸線から偏倚した中心軸線を有する第２軸（２）と、前記基板（５）に対する前記回動体（３）の回動位置に応じて、前記回動体（３）に対する前記偏心体（４）の回動位置を規制する規制手段（６、５ｄ、３ｂ）と、前記基板（５）に対する前記回動体（３）の回動位置を選択的に調節する調節機構（１１）とを備えた電動工具の位置決め装置おいて、前記調節機構（１１）が、前記基板（５）に設けられた複数個のロック溝（５ｂ…５ｂ）と、前記ロック溝（５ｂ…５ｂ）に選択的に係合可能なように、前記調節機構（１１）のホルダ（１２）内に収容されたロックボール（１４）と、前記ロックボール（１４）の位置を拘束可能なロックボタン（１３）とから構成され、前記ロックボタン（１３）は、前記ロックボール（１４）と当接可能な傾斜面（１３ｄ）を有していることを特徴とする。
【００３０】
【発明の実施の形態】
以下、本発明の実施形態に係る電動工具の位置決め装置を、図１乃至図３を参照して詳述する。
【００３１】
本発明の位置決め装置は、基板５と、回動体３と、偏心体４と、第２軸２と、規制手段６と、調節機構１１とからなる基本構成を有している。
【００３２】
基板５は、円盤状に形成され、ほぼ中央の位置に貫通孔５ａを有している。基板５の一方の面、即ち、図２において上面には、上向きの凹部５ｅが形成され、この凹部５ｅは、上記貫通孔５ａと連通している。基板５の他方の面、即ち、図２において下面には、下向きの凹部５ｆが形成され、この凹部５ｆもまた、上記貫通孔５ａと連通している。
【００３３】
基板５の上面且つ一方の側において、貫通孔５ａと同心円上に複数個のロック溝５ｂ…５ｂが形成されている（図１参照）。
【００３４】
基板５において、貫通孔５ａを基準として、ロック溝５ｂと反対側の位置に、長孔５ｄが形成されている。長孔５ｄは、後述する規制手段の一部を構成するもので、基板５の上面及び下面にそれぞれ形成された凹部５ｅ及び５ｆとそれぞれ連通している。この長孔５ｄは、基板５のほぼ直径方向に湾曲して伸びている。
【００３５】
また、基板５において、上記長孔５ｄの更に外側の位置には、複数個のバランスウェイト取付孔５ｈが形成されている。
【００３６】
回動体３は、支持部分３Ｘ及びケース部分３Ｙとからなる回動体本体と、第１軸としての駆動軸１とから構成される。
【００３７】
支持部分３Ｘは、基板５の貫通孔５ａ内に回動可能に嵌合されており、その中央部分には、ネジ孔３ｃが同軸心的に形成されている。尚、図２において、符号８は、支持部分３Ｘの抜け止めのために、これに嵌合されるＣ型リングである。
【００３８】
ケース部分３Ｙは、支持部分３Ｘの上端に一体的に形成され、基板５の上向き凹部５ｅ内に収められている。ケース部分３Ｙは、円筒状の内周面、即ち、ボア３ｆを有しており、このボア３ｆの中心軸線は、支持部分３Ｘの中心軸線から偏倚している。また、ケース部分３Ｙの底部には、長孔３ｂが形成されている。この長孔３ｂは、規制手段の一部を構成するもので、基板５の長孔５ｄに対応する位置に形成されており、これと同様に、ケース部分３Ｙの底部のほぼ円周方向に湾曲して伸びている。更に、ケース部分３Ｙの中央部分を基準として、長孔３ｂと反対側の位置には、調節機構１１のための切欠き部３ａが形成されている。
【００３９】
第１軸としての駆動軸１は、上部にネジ部１ａを有しており、このネジ部１ａは、上記支持部分３Ｘのネジ孔３ｃに螺合されている。従って、駆動軸１は、支持部分３Ｘと一体的に回動可能である。
【００４０】
偏心体４は、外周面に対して内周面が偏心した筒状に形成され、上記回動体３におけるケース部分３Ｙのボア３ｆ内に回動可能に収容されている。この偏心体４の内側には、ベアリング１５、１６が組み込まれている。
【００４１】
第２軸２は、ベアリング１５、１６のそれぞれの内輪に取り付けられている。尚、図２において、符号１７は、下方のベアリング１６における外輪を偏心体４に保持するためのＣ型リングを示し、符号１８は、このベアリング１６における内輪を第２軸２に保持するためのＣ型リングを示す。また、符号７は、偏心体４を回動体３に保持するためのＣ型リングを示し、符号１９は、偏心体４と第２軸２との間をシールするオイルシールである。
【００４２】
偏心体４の一方の側には、下方に突出するようにしてピン６が取り付けられている。このピン６は、回動体３の長孔３ｂ及び基板５の長孔５ｄに通されている。このピン６は、これ等長孔３ｂ及び５ｄと協働して、基板５に対する回動体３の回動位置に応じて、回動体３に対する偏心体４の回動位置を規制する規制手段を構成する。尚、図３に示すように、基板５の凹部５ｆ内には、一対の突起５ｇ、５ｇが内側に向けて突出しており、これ等の間に、Ｃ型リング８の端部が配置されている。従って、これ等突起５ｇ、５ｇによって、Ｃ型リング８の廻り止めが施され、従って、Ｃ型リング８が不適切に回転移動して、ピン６に干渉することが未然に回避される。
【００４３】
調節機構１１は、基板５に対する回動体３の回動位置を選択的に調節するもので、ホルダ１２と、ロックボタン１３と、コイルバネ２１と、ロックボール１４と、基板５に設けられた上記ロック溝５ｂ…５ｂとから構成される。
【００４４】
ホルダ１２は、回動体３の切欠き部３ａにボルト２０、２０によって締め付けられている（図１参照）。このホルダ１２は、切欠き部３ａと向かい合う部分に貫通孔１２ｅを有している。
【００４５】
ロックボタン１３は、ホルダ１２内に摺動可能に収容されるボール拘束部分１３ａと、このボール拘束部分１３ａの先端面に一体的に形成され、ホルダ１２の貫通孔１２ｅから外側に突出する操作部分１３ｂとから構成される。ボール拘束部分１３ａは、操作部分１３ｂ側の位置に傾斜面１３ｄを有しており、この傾斜面１３ｄは後述するロックボール１４に当接可能である。即ち、ボール拘束部分１３ａは、その長さ方向に亘って実質的に同一の外径を有する円柱状部分と、その前方に形成された截頭円錐状部分、換言すれば、テーパ状部分とから構成され、そのテーパ状部分の外径は、操作部分１３ｂの外径よりも大きい。また、この円柱状部分は、ホルダ１２の対応する内面によって案内されるように構成される。ボール拘束部分１３ａは、その後端部内側にバネ収容穴１３ｃを有している。勿論、ボール拘束部分１３ａに上記筒状部分を設けることなく、傾斜面１３ｄを有する上記テーパ状部分のみからボール拘束部分１３ａを構成してもよい。
【００４６】
コイルバネ２１は、ホルダ１２内に配置され、一端をボール拘束部分１３ａのバネ収容穴１３ｃ内に配置し、他端を回動体３側に当接させている。従って、ロックボタン１３はコイルバネ２１による弾性力により、図２において矢印Ｍ方向に移動して、ボール拘束部分１３ａの先端面がホルダ１２に当接し、これにより、ロックボタン１３はロック状態に保持される。コイルバネ２１に抗して、ロックボタン１３を、図２において矢印Ｌ方向に押し込むことにより、傾斜面１３ｄを有するテーパ状部分は回動体３側に近接し、これにより、ロックボタン１３はロック解除状態に置かれる。
【００４７】
ロックボール１４は、単一の鋼球からなり、ホルダ１２内においてロックボタン１３の下方に配置されている。ロックボタン１３がロック状態に置かれているとき、ロックボール１４は、基板５のロック溝５ｂ…５ｂのうちの何れか１つに選択的に収められ、この状態において、ロックボール１４は傾斜面１３ｄを有するテーパ状部分に当接する。従って、コイルバネ２１に抗して、ロックボタン１３を押し込み、これをロック解除状態にすれば、傾斜面１３ｄを有するテーパ状部分と操作部分１３ｂとの半径における差に対応する距離だけ、ロックボール１４の変位が許容され、これにより、ロックボール１４がロック溝５ｂから離脱可能になる。
【００４８】
尚、図２に示すように、基板５のバランスウェイト取付孔５ｈには、バランスウェイトとしてのボルト１０及びナット９がそれぞれ取り付けられている。また、上述した調節機構１１のホルダ１２もバランスウェイトとして作用する。従って、ボルト１０及びナット９、並びに、ホルダ１２の組合せにおいて、装置全体の回転バランスが調整可能である。
【００４９】
また、図１及び図３において、符号５ｃはロック溝５ｂ…５ｂに対応する切欠部を示し、図３において、符号ｍは偏心量に関する目盛りを示す。図２から明らかなように、本発明の位置決め装置においては、２ｍｍから１０ｍｍまで、２ｍｍ毎に偏心量を５段階に調節することが可能である。
【００５０】
上述した本発明の位置決め装置において、第１軸１と第２軸２との偏心量を調節するためには、先ず、ロックボタン１３を、図２における矢印Ｌ方向に押し込み、この状態で、基板５に対して回動体３を所定の角度だけ回動させる。即ち、ロックボタン１３を押し込むことにより、ロックボール１４はロック溝５ｂから離脱可能な状態に置かれ、ここで、基板５に対して回動体３を、図１において矢印Ｔ方向又はＳ方向に回動させると、ロックボール１４は係合状態にあったロック溝５ｂから離脱し、回動角度に対応した他のロック溝５ｂに係合する。
【００５１】
このように基板５に対して回動体３を回動させると、偏心体４は、規制手段６、３ｂ、５ｄの規制下において、回動体３内を回動する。第２軸２の中心軸線は偏心体４の中心軸線に対して偏倚しているため、偏心体４が回動することによって、第１軸１に対する第２軸２の偏心量が調節される。通常は、１つのロック溝５ｂからこれに隣接する他のロック溝５ｂへの１ピッチＰ分（図１参照）の回動体３の回動操作により、第１軸１に対する第２軸２の偏心量が２ｍｍずつ変化するように設定されている。
【００５２】
偏心量の調節後、ロックボタン１３の押圧を解除すれば、コイルバネ２１によってロックボタン１３は再びロック状態に保持され、従って、ロックボール１４のロック溝５ｂへの係合状態が確保され、換言すれば、基板５に対して回動体３がロックされる。
【００５３】
ここで、特に留意すべき事項は、ロックボタン１３がロック状態に置かれているときに、ロックボール１４は、図２に示すように、ロックボタン１３の傾斜面１３ｄに当接していることである。従って、仮に、ボール拘束部分１３ａ及びロックボール１４の製造工程において、寸法誤差が生じ、例えば、これ等の部材の外径が適正値よりも大きい場合であっても、その寸法誤差に応じた距離だけ、ロックボタン１３がコイルバネ２１に抗して引っ込められ、基板５に対する回動体３適切な回動動作並びにロック状態及びロック解除状態への切換動作が確保される。
【００５４】
その結果、ボール拘束部分１３ａ及びロックボール１４の製造工程において非常に厳しい寸法管理を適用する必要がなく、製造コストを低廉に維持できる。
【００５５】
図２には、ボール拘束部分１３ａの傾斜面１３ｄがロックボール１４に当接するのみならず、この傾斜面１３ｄを有するテーパ状部分の先端部がホルダ１２の内面と当接する形態が示されているが、ロック状態において、このテーパ状部分の先端部をホルダ１２の内面に当接させることなく、傾斜面１３ｄとロックボール１４との当接のみを維持するように構成することも可能である。このように構成すれば、仮に、ボール拘束部分１３ａ及びロックボール１４の製造工程において、寸法誤差が生じ、これ等の部材の外径が適正値よりも小さい場合であっても、その寸法誤差に応じた距離だけ、ロックボタン１３がコイルバネ２１によって押し出され、基板５に対する回動体３適切な回動動作並びにロック状態及びロック解除状態への切換動作が確保される。
【００５６】
また、ロックボタン１３のテーパ状部分、ロックボール１４、及び、ロック溝５ｂを形成する基板５の部分の何れかが摩耗した場合であっても、テーパ状部分とロックボール１４との上述した接触構造を採用することによって、このような摩耗による寸法変化を吸収でき、従って、ロックボタン１３やロックボール１４を交換することなく、長期間に亘って装置を使用でき、耐久性が向上する。
【００５７】
上述した実施形態においては、２ｍｍから１０ｍｍまで、２ｍｍ毎に偏心量を５段階に調節することが可能であるものとして説明したが、０ｍｍから８ｍｍまで、２ｍｍ毎に偏心量を５段階に調節することもできる。勿論、この偏心量の単位及び段階数は任意に変更可能である。
【００５８】
【発明の効果】
請求項１の本発明の電動工具の位置決め装置によれば、ロックボタンが、ロックボールと当接可能な傾斜面を有しているので、ボール拘束部分及びロックボールの製造工程において、寸法誤差が生じても、基板に対する回動体の適切な回動動作並びにロック状態及びロック解除状態への切換動作を確保し、更に、非常に厳しい寸法管理を必要とすることなく、生産コストを低廉に維持することができる。しかも、ボール拘束部分及びロックボールの両者が摩耗した場合であっても、上述した回動動作及び切換動作が可能である。
【図面の簡単な説明】
【図１】本発明の位置決め装置を示す平面図
【図２】図１のＩＩ−ＩＩ線断面図
【図３】図２の装置の底面図
【図４】先行技術の位置決め装置を示す断面図
【符号の説明】
１  第１軸
２  第２軸
３  回動体
３ｆ  ボア
４  偏心体
５  基板
５ｂ  ロック溝
６、５ｄ、３ｂ  規制手段
１３  ロックボタン
１３ｄ  傾斜面
１４  ロックボール
【図１】
0004558134.tif 000002
【図２】
0004558134.tif 000003
【図３】
0004558134.tif 000004
【図４】
0004558134.tif 000005